【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
分類された文献の索引付けおよび検索を行うシステムであって、
少なくとも１つのサーバコンピュータ、
タイトルおよび定義を含む分類コードを備える定義済み分類方法に基づいて分類された文献を少なくとも１つ有する集合である、少なくとも１つの文献の集合、
少なくとも１つのサーバーアプリケーション、および、
少なくとも１つのサーチエンジンシステムを備え、
前記サーバコンピュータが前記サーチエンジンと接続され、前記サーバウェブアプリケーションが前記文献集合からの文献を前記サーチエンジンに通信し、少なくとも１つの分類コードタイトルまたは分類コード定義から導出された少なくとも１つの言葉が、増補文献を生成するために、前記文献内に挿入され、前記増補文献は前記システムにより後の検索のために索引付けされるシステム。
【請求項２】
前記文献がフォーマット化されていて、前記フォーマットが、ＨＴＭＬ、ＸＭＬ、ＰＤＦ、およびＭＳＷｏｒｄからなるグループから選択されたものである、請求項１記載の分類された文献の索引付けおよび検索を行うシステム。
【請求項３】
前記文献が第１の言語で、少なくとも１つの前記分類コードタイトルまたは前記分類コード定義が第２言語である、請求項１記載の分類された文献の索引付けおよび検索を行うシステム。
【請求項４】
少なくとも１つのクライアントコンピュータを含み、前記クライアントコンピュータが前記サーバコンピュータに接続している、請求項１記載の分類された文献の索引付けおよび検索を行うシステム。
【請求項５】
分類された文献の索引付けおよび検索を行うシステムであって、
少なくとも１つのサーバコンピュータ、
タイトルおよび定義を含む分類コードを備える定義済みの分離方法に基づいて分類された文献であって、少なくとも１つの前記分類コードタイトルまたは分類コード定義に対応する少なくとも１つの検索キーをさらに備える文献を少なくとも１つ有する集合である、少なくとも１つの文献の集合、
少なくとも１つのサーバウェブアプリケーション、および、
少なくとも１つのサーチエンジンシステムを備え、
前記サーバコンピュータが前記サーチエンジンと接続され、前記サーバウェブアプリケーションが前記文献集合からの文献を前記サーチエンジンに通信し、
言葉を前記文献に動的に挿入し、タグ付き文献を生成する手段を備え、前記サーチエンジンからの要求に応答して前記挿入を行い、前記タグ付き文献を前記サーチエンジンに通信するシステム。
【請求項６】
前記文献がフォーマット化されていて、前記フォーマットが、ＨＴＭＬ、ＸＭＬ、ＰＤＦ、およびＭＳＷｏｒｄからなるグループから選択されたものである、請求項５記載の分類された文献の索引付けおよび検索を行うシステム。
【請求項７】
前記文献が第１の言語で、前記言葉が第２言語である、請求項５記載の分類された文献の索引付けおよび検索を行うシステム。
【請求項８】
前記システムが、少なくとも１つのクライアントコンピュータをさらに備え、前記クライアントコンピュータが前記サーバコンピュータと接続されている、請求項５記載の分類された文献の索引付けおよび検索を行うシステム。
【請求項９】
前記システムが、少なくとも１つのクライアントコンピュータをさらに備え、前記クライアントコンピュータが前記サーバコンピュータと接続されていて、前記タグ付き文献を前記クライアントコンピュータに通信する、請求項１記載の分類された文献の索引付けおよび検索を行うシステム。
【請求項１０】
分類された文献の索引付けおよび検索を行うコンピュータ化方法であって、
タイトルおよび定義を含む分類コードを備える定義済みの分類方法に基づいて分類された文献の集合から文献を検索するステップを含み、
サーチエンジンからの要求に応答して前記検索を行い、少なくとも１つの分類コードタイトルまたは分類コード定義から導出された少なくとも１つの言葉が、増補文献を生成するために、前記文献内に挿入され、前記増補文献は前記システムにより索引付けされ、
前記増補文献を前記サーチエンジンへ送信するステップとを含む方法。
【請求項１１】
前記文献がフォーマット化されていて、前記フォーマットが、ＨＴＭＬ、ＸＭＬ、ＰＤＦ、およびＭＳＷｏｒｄからなるグループから選択されたものである請求項１０記載の分類された文献の索引付けおよび検索を行うコンピュータ化方法。
【請求項１２】
前記文献が第１の言語で、少なくとも１つの前記分類コードタイトルまたは前記分類コード定義が第２言語である、請求項１０記載の分類された文献の索引付けおよび検索を行うコンピュータ化方法。
【請求項１３】
前記文献集合が少なくとも１つの特許文献を含む、請求項１０記載の分類された文献の索引付けおよび検索を行うコンピュータ化方法。
【請求項１４】
前記システムが、少なくとも１つのクライアントコンピュータをさらに備え、前記クライアントコンピュータが前記サーバコンピュータと接続されている、請求項１０記載の分類された文献の索引付けおよび検索を行うコンピュータ化方法。
【請求項１５】
分類された文献の索引付けおよび検索を行うコンピュータ化方法であって、
タイトルおよび定義を含む分類コードを備える定義済みの分類方法に基づいて分類された文献であって、少なくとも１つの前記分類コードタイトルまたは前記分類コード定義に対応する少なくとも１つの検索キーをさらに含む文献の集合から、文献を検索するステップと、
サーチエンジンからの要求に応答して前記検索を行い、少なくとも１つの前記分類コードタイトルまたは分類コード定義から導出した少なくとも１つのキーワードをデータベースから検索するステップと、
言葉を前記文献に挿入し、タグ付き文献を生成するステップと、
前記タグ付き文献を前記サーチエンジンに送信するステップとを含む方法。
【請求項１６】
前記文献がフォーマット化されていて、前記フォーマットが、ＨＴＭＬ、ＸＭＬ、ＰＤＦ、およびＭＳＷｏｒｄからなるグループから選択されたものである、請求項１５記載の分類された文献の索引付けおよび検索を行うコンピュータ化方法。
【請求項１７】
前記文献が第１の言語で、前記言葉が第２言語である、請求項１５記載の分類された文献の索引付けおよび検索を行うコンピュータ化方法。
【請求項１８】
前記文献集合が少なくとも１つの特許文献を含む、請求項１５記載の分類された文献の索引付けおよび検索を行うコンピュータ化方法。
【請求項１９】
前記システムが、少なくとも１つのクライアントコンピュータをさらに備え、前記クライアントコンピュータが前記サーバコンピュータと接続されている、請求項１５記載の分類された文献の索引付けおよび検索を行うコンピュータ化方法。
【請求項２０】
分類された文献の検索を行うコンピュータ化方法であって、
クライアントコンピュータのクライアントソフトウェアアプリケーションとサーバコンピュータとの間の接続を開始するステップと、
前記クライアントコンピュータの前記クライアントソフトウェアアプリケーションに少なくとも１つの要求を行わせるステップとを含み、
前記要求により、
タイトルおよび定義を含む分類コードを備える前記定義済みの分類方法に基づいて分類された文献で、少なくとも１つの前記分類コードタイトルまたは分類コード定義に対応する少なくとも１つの検索コードをさらに備える文献である、少なくとも１つの文献を含む分権の集合から文献を検索するステップと、
少なくとも１つの前記分類コードタイトルまたは分類コード定義から導出した少なくとも１つのキーワードをデータベースから検索するステップと、
前記キーワードを前記文献に挿入し、タグ付き文献を生成するステップと、
前記タグ付文献を前記サーチエンジンに送信するステップとを含む方法を開始するコンピュータ化方法。
【請求項２１】
前記文献がフォーマット化されていて、前記フォーマットが、ＨＴＭＬ、ＸＭＬ、ＰＤＦ、およびＭＳＷｏｒｄからなるグループから選択されたものである、請求項２０記載の分類された文献の索引付けおよび検索を行うコンピュータ化方法。
【請求項２２】
前記文献が第１の言語で、前記キーワードが第２言語である、請求項２０記載の分類された文献の索引付けおよび検索を行うコンピュータ化方法。
【請求項２３】
前記文献集合が少なくとも１つの特許文献を含む、請求項２０記載の分類された文献の索引付けおよび検索を行うコンピュータ化方法。
【請求項２４】
前記システムが、少なくとも１つのクライアントコンピュータをさらに備え、前記クライアントコンピュータが前記サーバコンピュータと接続されている、請求項２０記載の分類された文献の索引付けおよび検索を行うコンピュータ化方法。
【請求項２５】
前記クライアントソフトウェアアプリケーションがウェブブラウザである、請求項２０記載の分類された文献の索引付けおよび検索を行うコンピュータ化方法。
【請求項２６】
前記クライアントソフトウェアアプリケーションがウェブグラバである、請求項２０記載の分類された文献の索引付けおよび検索を行うコンピュータ化方法。
【請求項２７】
前記クライアントソフトウェアアプリケーションがウェブエキストラクタである、請求項２０記載の分類された文献の索引付けおよび検索を行うコンピュータ化方法。
【請求項２８】
前記クライアントソフトウェアアプリケーションがウェブコンテンツリパッケージャである、請求項２０記載の分類された文献の索引付けおよび検索を行うコンピュータ化方法。